(57)【要約】【課題】  現在の時刻が、電力料金の異なる複数の時間帯のどの時間帯で、あとどの程度時間が経過すると電力料金が変更されるかということを表示する。【解決手段】  エネルギーに関する情報を表示するモニターＡの画面に、帯状をした長手方向の一端が始端時刻表示部３４ａとなり且つ長手方向の他端が終端時刻表示部３４ｂとなった２４時間時計表示部３４を表示する。記帯状をした２４時間時計表示部３４を表示位置を変更しながら２４時間時計表示部３４の現在時刻に対応した位置で現在時刻を表示する現在時刻表示印３５を設ける。帯状の２４時間時計表示部３４をあらかじめ設定されたエネルギー料金が異なる複数の時間帯に分割して複数の分割時間帯表示部３６ａ、３６ｂ、３６ｃに区分けする。複数の分割時間帯表示部３６ａ、３６ｂ、３６ｃの表示色をそれぞれ異ならせる。【選択図】図１
2008158557.tif 000002
【特許請求の範囲】
【請求項１】
エネルギーに関する情報を表示するモニターの画面に、帯状をした長手方向の一端が始端時刻表示部となり且つ長手方向の他端が終端時刻表示部となった２４時間時計表示部を表示し、上記帯状をした２４時間時計表示部を始端時刻表示部側から終端時刻表示部側にかけて表示位置を変更しながら２４時間時計表示部の現在時刻に対応した位置で現在時刻を表示する現在時刻表示印を設け、上記帯状の２４時間時計表示部をあらかじめ設定されたエネルギー料金が異なる複数の時間帯に分割して複数の分割時間帯表示部に区分けし、複数の分割時間帯表示部の表示色をそれぞれ異ならせて成ることを特徴とするエネルギーの料金に関する２４時間時計表示機能を有するエネルギー機器稼動状況表示モニター。
【請求項２】
現在時刻表示印が一つの分割時間帯表示部のある位置で現在時刻を表示している時、次の分割時間帯表示部の表示に切り換わるあらかじめ設定した一定時間前になると、現在時刻表示印による表示が異なる表示となり且つ次の分割時間帯表示部に切り換わると元の表示に戻ることを特徴とする請求項１記載のエネルギーの料金に関する２４時間時計表示機能を有するエネルギー機器稼動状況表示モニター。
【請求項３】
現在時刻表示印が一つの分割時間帯表示部のある位置で現在時刻を表示している時、次の分割時間帯表示部の表示に切り換わるあらかじめ設定した一定時間前になると、モニターの画面にどれだけの時間が経過すると現在の料金時間帯から次の異なる料金時間帯に切り替わるのかを文字で表示することを特徴とする請求項１又は請求項２記載のエネルギーの料金に関する２４時間時計表示機能を有するエネルギー機器稼動状況表示モニター。
【請求項４】
エネルギーに関する情報を表示するモニターの画面に、上記２４時間時計表示部に加えて、太陽光発電の当日の上記２４時間時計表示部における始端時刻から終端時刻までの２４時間の一定時間毎の発電量を棒グラフで表示する棒グラフ表示部を設け、棒グラフ表示部に帯状をした時間軸表示部を設け、この帯状をした時間軸表示部が上記２４時間時計表示部における表示と同様に長手方向の一端部が２４時間時計表示部における始端時刻表示で表示される時刻と同じ始端時刻を表示する始端表示部となり且つ他端が２４時間時計表示部における終端時刻表示で表示される時刻と同じ終端表示部となり、上記帯状の時間軸表示部の始端表示部と終端表示部との間を上記２４時間時計表示部と同様にあらかじめ設定されたエネルギー料金が異なる複数の時間帯に分割して複数のグラフ用分割時間帯表示部に区分けし、複数のグラフ用分割時間帯表示部の表示色をそれぞれ異ならせて成ることを特徴とする請求項１乃至請求項３のいずれか一項に記載のエネルギーの料金に関する２４時間時計表示機能を有するエネルギー機器稼動状況表示モニター。
【請求項５】
上記棒グラフ表示部に、太陽光発電の当日の上記２４時間時計表示部における始端時刻から終端時刻までの２４時間の一定時間毎の発電量を棒グラフで表示すると共に、同じ２４時間の一定時間毎に消費電力量を棒グラフで表示することを特徴とする請求項４記載のエネルギーの料金に関する２４時間時計表示機能を有するエネルギー機器稼動状況表示モニター。
【発明の詳細な説明】
【技術分野】
【０００１】
本発明は、エネルギーの料金に関する２４時間時計表示機能を有するエネルギー機器稼動状況表示モニターに関するものである。
【背景技術】
【０００２】
従来から太陽光発電における現時点の発電量と、現時点の消費電力量とを数値で並べて表示すると共に、現時点の発電量＞現時点の消費電力量の場合は、コインが財布に入っていくアニメーション画像を表示し、現時点の消費電力量＞現時点の発電量の場合は、コインが財布から出て行くアニメーション画像を表示するようにしたエネルギー機器稼動状況表示装置が特許文献１により知られている。
【０００３】
ところが、上記した特許文献１に示された従来例にあっては、現時点の太陽光発電の発電量と現時点における電気の消費量が数値で表示されると共に、アニメーションによりコインが財布から出て行くか又は入って行くアニメーション表示により、現時点の状態が売電状態かあるいは買電状態かを表示するようにしているにすぎず、利用者に対して省エネルギーに対する十分な動機付けを与えていない。
【０００４】
すなわち、買電の電力料金は時間帯により異なっている（なお、売電の電気料金は時間帯に関係なく一律である）。したがって、エネルギー消費機器（電気掃除機、洗濯機、エアコン等）の使用に当たって、上記時間帯により異なる買電の電気料金のことを考えることなく、現時点の状態が売電状態かあるいは買電状態かという情報のみでエネルギー消費機器の利用を考えるとしたら、買電の電気料金が高い時間帯、安い時間帯に関係なく電気掃除機、洗濯機、エアコン等を利用してしまうことになって、必ずしも買電の電気料金が高い時間帯に利用しなくてもよいエネルギー消費機器をついつい買電の電気料金が高い時間帯に利用してしまうことになり、利用者にとって経済的な不利を招くという問題があると共に省エネルギーという観点からも好ましくないという問題がある。
【０００５】
しかしながら、上記引用文献１に示された従来例も含めて、エネルギー機器稼動状況表示装置において、現在の時刻が、電力料金の異なる複数の時間帯のうちどの時間帯であるのか、また、あとどの程度時間が経過すると電力料金が変更される異なる時間帯になるのかということを表示して利用者に知らせるようになっておらず、この点を利用者にわかりやすく表示して利用者に強い省エネルギーの動機付けを与えることができるようにした表示システムの開発が望まれているのが現状である。
【０００６】
また、表示装置で、当日の一定時間毎の発電量の状態や一定時間毎の消費電力量を表示することが考えられるが、この一定時間毎の発電量や一定時間毎の消費電力量が、電力料金の高い時間帯、安い時間帯との関連で表示されるような表示システムは従来なかった。
【特許文献１】特開２００２−２９７２２９号公報
【発明の開示】
【発明が解決しようとする課題】
【０００７】
本発明は上記の従来の問題点に鑑みて発明したものであって、現在の時刻が、電力料金の異なる複数の時間帯のうちどの時間帯であるのか、また、あとどの程度時間が経過すると電力料金が変更される異なる時間帯になるのかということを表示して利用者に知らせ、利用者に強い省エネルギーの動機付けを与えることができるエネルギーの料金に関する２４時間時計表示機能を有するエネルギー機器稼動状況表示モニターを提供することを課題とするものである。
【課題を解決するための手段】
【０００８】
上記課題を解決するために本発明に係るエネルギーの料金に関する２４時間時計表示機能を有するエネルギー機器稼動状況表示モニターは、エネルギーに関する情報を表示するモニターＡの画面に、帯状をした長手方向の一端が始端時刻表示部３４ａとなり且つ長手方向の他端が終端時刻表示部３４ｂとなった２４時間時計表示部３４を表示し、上記帯状をした２４時間時計表示部３４を始端時刻表示部３４ａ側から終端時刻表示部３４ｂ側にかけて表示位置を変更しながら２４時間時計表示部３４の現在時刻に対応した位置で現在時刻を表示する現在時刻表示印３５を設け、上記帯状の２４時間時計表示部３４をあらかじめ設定されたエネルギー料金が異なる複数の時間帯に分割して複数の分割時間帯表示部３６（３６ａ、３６ｂ、３６ｃ）に区分けし、複数の分割時間帯表示部３６ａ、３６ｂ、３６ｃの表示色をそれぞれ異ならせて成ることを特徴とするものである。
【０００９】
このような構成とすることで、２４時間時計表示部３４における現在時刻表示印３５の位置を知ることで、現在時刻が複数の分割時間帯表示部３６ａ、３６ｂ，３６ｃのどこに位置しているかが一目で判るようになっており、また、現在の電力料金の時間帯から電力料金が異なる次の時間帯に変更するまでのあとどのくらいの時間があるかが判り、利用者に対して、買電の電力料金と時間帯との関係で、電気掃除機や洗濯機やエアコン等の消費側のエネルギー機器の稼動を何時から開始するか、あるいは何時終了するか、あるいか稼動を継続するかといったことを強く意識させることができ、現在の時刻以降、エネルギー機器の稼動を最も経済的に行うにはどのような省エネルギー行動を取ったらいいかという動機付けを利用者に与えることができる。
【００１０】
また、現在時刻表示印３５が一つの分割時間帯表示部３６のある位置で現在時刻を表示している時、次の分割時間帯表示部３６の表示に切り換わるあらかじめ設定した一定時間前になると、現在時刻表示印３５による表示が異なる表示となり且つ次の分割時間帯表示部３６に切り換わると元の表示に戻るようにすることが好ましい。
【００１１】
このような構成とすることで、現在時刻表示印３５が現在時刻を知らせるための時計の針としての機能に加え、更に、現在時刻表示印３５における表示形態が異なる表示形態に変わることで、利用者に対して、あと何時間又はあと何分で電力料金が変わることを表示形態の変更により強く知らせ、消費側のエネルギー機器の使用を電力料金が安くなるまで待つ（例えば電気掃除機や洗濯機の使用を少し待つ）といった行動を取らせるための強い動機付け（省エネルギーに対する強い動機付け）を与えることができる。
【００１２】
また、現在時刻表示印３５が一つの分割時間帯表示部３６のある位置で現在時刻を表示している時、次の分割時間帯表示部３６の表示に切り換わるあらかじめ設定した一定時間前になると、モニターＡの画面にどれだけの時間が経過すると現在の料金時間帯から次の異なる料金時間帯に切り替わるのかを文字で表示することが好ましい。
【００１３】
このような構成とすることで、利用者に対して、あと何時間又はあと何分で電力料金が変わるのかを文字による表示で強く知らせ、消費側のエネルギー機器の使用を電力料金が安くなるまで待つ（例えば電気掃除機や洗濯機の使用を少し待つ）といった行動を取らせるための強い動機付け（省エネルギーに対する強い動機付け）を与えることができる。
【００１４】
また、エネルギーに関する情報を表示するモニターＡの画面に、上記２４時間時計表示部３４に加えて、太陽光発電の当日の上記２４時間時計表示部３４における始端時刻から終端時刻までの２４時間の一定時間毎の発電量を棒グラフで表示する棒グラフ表示部５０を設け、棒グラフ表示部５０に帯状をした時間軸表示部５１を設け、この帯状をした時間軸表示部５１が上記２４時間時計表示部３４における表示と同様に長手方向の一端部が２４時間時計表示部３４における始端時刻表示３４ａで表示される時刻と同じ始端時刻を表示する始端表示部５１ａとなり且つ他端が２４時間時計表示部３４における終端時刻表示３４ｂで表示される時刻と同じ終端表示部５１ｂとなり、上記帯状の時間軸表示部５１の始端表示部５１ａと終端表示部５１ｂとの間を上記２４時間時計表示部３４と同様にあらかじめ設定されたエネルギー料金が異なる複数の時間帯に分割して複数のグラフ用分割時間帯表示部５２に区分けし、複数のグラフ用分割時間帯表示部５２の表示色をそれぞれ異ならせることが好ましい。
【００１５】
このような構成とすることで、画面上に表示された棒グラフ表示部５０に表示された棒グラフを見ることで、太陽光発電の当日の始端時刻から現在時刻までの一定時間毎の発電量を知ることができるのは勿論のこと、上記２４時間時計表示部３４におけるエネルギー料金が異なる複数の時間帯のうちどの料金の時間帯でどれだけの発電が行われたかということが一目で理解でき、例えば売電料金が高い時間帯に予想した程の発電量となっていない場合は、省エネルギーに対する強い動機付けを利用者に与えるものであり、しかも、この時、時間軸表示部５１を区分けした複数のグラフ用分割時間帯表示部５２が、２４時間時計表示部３４に表示されたエネルギー料金が異なる複数の時間帯の色分け表示と同じ表示で時間軸表示部５１と対応した区分け、対応した色分けをしてあるので、エネルギー料金の異なる時間帯との関係で、現時点の時刻がどの時間帯に属し、また、当日の現時点までの一定時間毎の発電量の表示がそれぞれどの時間帯に属しているかといったことが一目で確認でき、より強い省エネルギーのための動機付けが与えられる。
【００１６】
また、上記棒グラフ表示部５０に、太陽光発電の当日の上記２４時間時計表示部３４における始端時刻から終端時刻までの２４時間の一定時間毎の発電量を棒グラフで表示すると共に、同じ２４時間の一定時間毎に消費電力量を棒グラフで表示することが好ましい。
【００１７】
このような構成とすることで、上記２４時間時計表示部３４におけるエネルギー料金が異なる複数の時間帯のうちどの料金の時間帯でどれだけの発電及び電力消費が行われたかということが一目で理解でき、省エネルギーのための強い動機付けを利用者に与えることができる。
【発明の効果】
【００１８】
本発明は、上記のように、現在の時刻が、電力料金の異なる複数の時間帯のうちどの時間帯であるのか、また、あとどの程度時間が経過すると電力料金が変更される異なる時間帯になるのかということを表示して利用者に知らせることができるので、利用者に対して、現在の時刻以降、エネルギー機器の稼動を最も経済的に行うにはどのような省エネルギー行動を取ったらいいかという動機付けを利用者に与えて、利用者に具体的な省エネルギー行動を惹起させることが可能となるような表示ができるという利点がある。
【発明を実施するための最良の形態】
【００１９】
以下、本発明を添付図面に示す実施形態に基いて説明する。
【００２０】
図３には太陽光発電システムの概略構成図が示してある。太陽光発電システムは、太陽電池１２により太陽光発電した電力を家庭や事業所内の電力として利用するとともに、太陽光発電における発電量が消費電力よりも大きい場合（つまり余剰電力が生じた場合）は電力会社に売電し、曇りや雨あるいは夜間のように十分な太陽光発電ができなかったり、あるいは太陽光発電が不能となったりして太陽光発電における発電量が消費電力よりも小さい場合は不足分を電力会社から買電するようにしたシステムである。
【００２１】
図３には太陽光発電システムの概略構成図が示してある。図３において、１２は発電側のエネルギー機器である太陽電池、１３は太陽電池１２による太陽光発電の制御を行うパワーコンディショナであって、電力測定ユニット１３ａを備えている。また、１４は太陽光発電系統電力線、電力会社からの商用電力系統線が接続された分電盤であって解列開閉器、電流センサ１４ａ等が設けてあり、１５は分電盤１４を介して供給される電力を消費する負荷（つまり、テレビ、冷蔵庫、電気温水器１５ａ等の消費側のエネルギー機器）であり、Ａは発電側のエネルギー機器である太陽電池１２の稼動状況や消費側のエネルギー機器である負荷１５の稼動状況を表示するためのモニターである。
【００２２】
上記パワーコンディショナ１３は太陽電池１２で発生した電気（直流）を交流２００Ｖに変換し、また、商用側の電力品質に影響を与えないようにするための制御を行い、更に、電力測定ユニット１３ａにより分電盤１４に設けた電流センサ１４ａからの情報に基づいて発電量、売／買電力を測定し、これらの太陽光発電に関する諸情報をモニターＡにデータとして送信するようになっている。
【００２３】
また、図３の実施形態では負荷１５である消費側のエネルギー機器の一つの電気温水器１５ａの稼動状況の情報もモニターＡに送信されるようになっている。
【００２４】
モニターＡにはモニター制御部１８が設けてあり、上記送信されたデータを演算処理して発電及び電力消費状況（つまり、発電側、消費側のエネルギー機器の稼動状況）をモニターＡに画面として表示するようになっている。
【００２５】
本発明において、モニターＡに表示される画面には、エネルギーに関する情報を表示するモニターＡの画面に、帯状をした長手方向の一端が始端時刻表示部３４ａとなり且つ長手方向の他端が終端時刻表示部３４ｂとなった２４時間時計表示部３４が表示されるようになっている。
【００２６】
本発明の実施形態においては、モニターＡに表示される画面としては基本画面Ｂと、詳細画面Ｃとに大別される例が示してある。図４にはモニターＡに画面として表示する複数の異なる画面（基本画面Ｂ、詳細画面Ｃ）それぞれの関連を示す構成図が示してある。この基本画面Ｂ、詳細画面Ｃの関連については後述する。
【００２７】
基本画面Ｂ、詳細画面Ｃにはそれぞれ帯状をした２４時間時計表示部３４が表示されるように構成してある。
【００２８】
以下、図１、図２に示す基本画面Ｂの一つである発電及び電力消費状況を表す発電・消費画面Ｂ１について説明する。
【００２９】
この発電・消費画面Ｂ１にはその中央部に画面全体の大部分を占めるように発電に関する情報を表示する発電情報表示部１と、消費に関する情報を表示する電力消費情報表示部２とを隣接して設けてある。図１に示す実施形態においては、発電情報表示部１と電力消費情報表示部２とが左右に隣接して並んでおり、発電情報表示部１と電力消費情報表示部２とは画面上の大きさが同じ又は略同じ大きさとなっている。また、添付図面に示す実施形態では発電・消費画面Ｂ１の左右方向の一端部には消費側のエネルギー機器の一つである電気温水器１５ａの稼動状態を示す電気温水器稼動状態表示部２１となっている。発電情報表示部１、電力消費情報表示部２はいずれも電気温水器稼動状態表示部２１よりも横幅が広く、発電情報表示部１、電力消費情報表示部２における表示が目立つように構成してある。
【００３０】
また、発電・消費画面Ｂ１の上端部及び下端部に沿ってそれぞれ上下巾の狭い上バー状表示部２２と下バー状表示部２３とが設けてある。
【００３１】
そして、上バー状表示部２２に帯状をした２４時間時計表示部３４が設けてある。
【００３２】
以下、発電情報表示部１、電力消費情報表示部２の構成につき説明し、上バー状表示部２２に設けた２４時間時計表示部３４の具体的構成については後述する。
【００３３】
隣接する発電情報表示部１と電力消費情報表示部２にはそれぞれ当日の基準となるカウント開始時刻から現在時刻までの総発電量と、総消費量とをそれぞれ棒表示３ａ、４ａで表示する棒グラフ表示部３、４が設けてある。添付図面に示す実施形態では発電情報表示部１の全領域が棒グラフ表示部３となり、電力消費情報表示部２の全領域が棒グラフ表示部３となっている。もちろん、各棒グラフ表示部３、４が発電情報表示部１と電力消費情報表示部２の境界を介して左右に隣接するように構成されるものであれば、各棒グラフ表示部３、４がそれぞれ発電情報表示部１、電力消費情報表示部２の一部に形成してあってもよい。
【００３４】
また、上記棒グラフ表示部３、４は発電情報表示部１と電力消費情報表示部２の各下端、つまり、発電情報表示部１、電力消費情報表示部２と下バー状表示部２３との境界がゼロとなる基準線となっていて、当日の基準となるカウント開始時刻（実施形態では午前０時をカウント開始時刻としている）から現在時刻までの総発電量と、総消費量とをそれぞれ棒表示３ａ、４ａで表示するようになっており、その表示は上記棒グラフ表示部３、４を下から上に向けて棒表示３ａ、４ａが伸びるように構成してある。このように、隣接する棒グラフ表示部３、４にそれぞれ総発電量と、総消費量とを棒表示３ａ、４ａで表示することで棒グラフとして表示されるようになっている。この棒グラフにおいて、当日の基準となるカウント開始時刻から現在時刻までの総発電量と、総消費量とに差がある場合、その差は上記棒表示３ａの上端と、棒表示４ａの上端との差として表されることになる。
【００３５】
上記棒グラフ表示部３に表示される棒表示３ａ内は、当日の現在時刻までに発電した電気のうち消費した消費量７と、当日の現在時刻までに発電した電気のうち売電した売電量８とに分割して表示されるようになっており、また、棒グラフ表示部４に表示される棒表示４ａ内は、当日の現在時刻までに消費した電気のうち、発電した電気を消費した消費量７と、当日の現在時刻までに買電した電気の買電量９とに分割して表示するようになっている。当日の現在時刻までに消費した電気のうち発電した電気を消費した消費量７は両棒表示３ａ、４ａ内の下側に表示され、棒表示３ａ内の上側（つまり当日の現在時刻までに発電した電気のうち消費した消費量７の表示の上側）には売電量８が表示され、棒表示４ａ内の上側（つまり当日の現在時刻までに発電した電気のうち消費した消費量７の表示の上側）には買電量９が表示される。
【００３６】
上記のように、（棒グラフ表示部３に表示される棒表示３ａの長さ＝（棒表示３ａにおける当日の現在時刻までに発電した電気のうち消費した消費量７に相当する分の長さ）＋（棒表示３ａにおける当日の現在時刻までに発電した電気のうち売電した売電量８に相当する分の長さ）として表示され、また、（棒グラフ表示部４に表示される棒表示４ａの長さ）＝（棒表示４ａにおける当日の現在時刻までに発電した電気のうち消費した消費量７に相当する長さ）＋（棒表示４ａにおける当日の現在時刻までに消費した電気のうち買電した買電量９に相当する長さ）として表示されることになる。
【００３７】
したがって、上記隣接する棒表示３ａと棒表示４ａとの差は前述のように、当日の基準となるカウント開始時刻から現在時刻までの総発電量と総消費量との差として認識されると共に、同時に、当日の基準となるカウント開始時刻から現在時刻までの売電量と買電量の差としても認識されることになる。
【００３８】
このように、隣接する両棒表示３ａ、４ａの差を見るだけで、当日の現在時刻までの総発電量と総消費量との差と、売電量と買電量の差が視覚的に一目瞭然に強く認識され、総発電量と総消費量との差や、売電量と買電量の差が予想よりも違う場合など、視覚的に「省エネルギーをしなければならない」という強い省エネルギーのための動機付けを利用者に与えることになる。
【００３９】
ところで、棒グラフ表示部３、４にそれぞれ表示される棒表示３ａ、４ａはそれぞれ総発電量、総消費量が増えるにしたがって下から上に伸びていくが、棒表示３ａ、４ａは、棒グラフ表示部３、４の上端である発電情報表示部１、電力消費情報表示部２の上端までしか表示できず、このため、総発電量又は総消費量が増えて棒グラフ表示部３の上端又は棒グラフ表示部４の上端が棒グラフ表示部３又は棒グラフ表示部４の上端に至ると、棒グラフ表示部３、棒グラフ表示部４に表示する棒表示３ａ、４ａの表示の比率が小さくなるように変更して表示するようになっている。例えば、初めに棒グラフ表示部３、４の上端である発電情報表示部１、電力消費情報表示部２の上端をそれぞれ１０ｋＷを表示する部分に設定してあるとした場合、総発電量又は総消費量のいずれかが先に１０ｋＷになると棒グラフ表示部３、４の上端である発電情報表示部１、電力消費情報表示部２の上端が例えば２０ｋＷを表示する部分となり、両棒グラフ表示部３、４に表示される両棒表示３ａ、４ａの高さが１／２に縮小表示されることになり、以降は総発電量、総消費量が増加していくにしたがって上記縮小された割合で両棒グラフ表示部３、４が上に伸びていくことになる。
【００４０】
発電情報表示部１の上部には更に現在発電量数値表示部５が設けてあって、現在時刻における発電量と消費量を数値で表示するようになっており、電力消費情報表示部２の上部には現在消費量数値表示部６が設けてあって、現在時刻における電力消費量を数値で表示するようになっている。上記現在発電量数値表示部５と現在消費量数値表示部６とは左右に隣あって表示されるようになっており、したがって、左右に隣り合った現在発電量数値表示部５と現在消費量数値表示部６に表示された数値を見ることで現在時刻における発電量と消費量を知ることができると同時に左右見比べることで、現在時刻において発電量と消費量のどちらが多いかが直ぐに理解できるようになっている。
【００４１】
また、隣接する発電情報表示部１のほぼ中央部に現在時刻における発電状態を表すための発電表示アイコン１０を設けると共に電力消費情報表示部２のほぼ中央部に現在時刻における消費電力状態を表すための消費表示アイコン１１を設けてある。この発電表示アイコン１０、消費表示アイコン１１は現時点（現在時刻）における発電、消費の状態が売電時である場合は発電表示アイコン１０を消費表示アイコン１１よりも大きく表示し、且つ、現時点における発電量と消費量とが均衡している場合は発電表示アイコン１０と消費表示アイコン１１を同じ大きさで表示し、且つ、現時点が買電時である場合は消費表示アイコン１１を発電表示アイコン１０よりも大きく表示するように制御するようになっている。これにより現在時刻における発電量と消費量のどちらが多いか（つまり、売電状態か、買電状態か、均衡状態か）が視覚的に直ぐわかるようになっており、消費表示アイコン１１を発電表示アイコン１０を見ることと、上記発電表示アイコン１０、消費表示アイコン１１の各上方向の現在発電量数値表示部５、現在消費量数値表示部６に表示された現在時刻における発電量と消費量の数値を見ることにより現在時刻における発電、消費の状況が一目で理解でき、この点でも利用者に省エネルギーに対する強い動機付けを与えることができる。
【００４２】
発電情報表示部１と電力消費情報表示部２の下部にわたって多数の玉が並んだ玉線状の電気流れ表示部３０が設けてあり、該玉線状の電気流れ表示部３０は発電表示アイコン１０と消費表示アイコン１１につながっており、玉線状の電気流れ表示部３０において、売電時は各玉の表示をある色（例えば緑）で発色表示すると共に該発色表示が左側に向けて順次発色表示するようにし、一方、買電時は各玉の表示を別のある色（例えば青）で発色表示すると共に該発色表示が左側に向けて順次発色表示するようにすることで、これを見ることによっても現在、売電時なのか買電時であるかが一目で判る。
【００４３】
また、発電情報表示部１にはさらに現在時刻までの当日の総発電量を数値で表示する総発電量数値表示部２４が設けてあり、また、電力消費情報表示部２には現在時刻までの当日の総消費量を数値で表示する総消費量数値表示部２５が設けてあり、上記隣り合った両棒表示３ａ、４ａの差で視覚的に総発電量と総消費量の差を認識すると共に、同時に隣り合った総発電量数値表示部２４、総消費量数値表示部２５に表示された数値によっても総発電量と総消費量を知ることができ、よりいっそうモニターＡの画面を通しての省エネルギーの動機付け効果を発揮できる。
【００４４】
なお、発電・消費画面Ｂ１の左右方向の一端部には消費側のエネルギー機器の一つである電気温水器１５ａの稼動状態を示す電気温水器稼動状態表示部２１には消費側のエネルギー機器のひとつである電気温水器１５ａ（例えばヒートポンプを用いた電気温水器）の稼動状況が表示されるようになっており、当日の給湯量を棒グラフと数値により表示すると共に、現在の給湯状態を給湯状態表示アイコン３１により表示するようになっており、給湯時には給湯状態表示アイコン３１が動く動作をし、停止時には給湯状態表示アイコン３１が静止するようになっている。
【００４５】
発電・消費画面Ｂ１の上端部に設けた上バー状表示部２２には太陽光発電の運転状態（つまり発電中か停止中かといった状態）を表示する運転状態表示部３２、現在表示している画面をアイコンで表示する現在画面表示部３３、２４時間時計表示部３４、カレンダー・時刻数値表示部４２が設けてある。
【００４６】
２４時間時計表示部３４は帯状をしており、帯状の長手方向の一端（図においては左側端）が始端時刻表示部３４ａ（例えば午前０時を表す部分）となり且つ長手方向の他端が終端時刻表示部３４ｂ（例えば午後１２時を表す部分）となっている。
【００４７】
この帯状をした２４時間時計表示部３４には始端時刻表示部３４ａ側から終端時刻表示部３４ｂ側にかけて表示位置を変更しながら２４時間時計表示部３４の現在時刻に対応した位置で現在時刻を表示する現在時刻表示印３５が設けてあり、添付図面に示す実施形態では現在時刻表示印３５は縦線として表示される。つまり、縦線として表示される現在時刻表示印３５が帯状をした２４時間時計表示部３４の時計の針として機能し、該針の位置を見ることで、現在時刻を知ることができるようになっている。
【００４８】
そして、上記帯状の２４時間時計表示部３４はあらかじめ設定された電力料金が異なる複数の時間帯に分割して複数の分割時間帯表示部３６ａ、３６ｂ，３６ｃに区分けしてあり、複数の分割時間帯表示部３６ａ、３６ｂ、３６ｃは表示色をそれぞれ異ならせてある（なお、複数の分割時間帯表示部３６ａ、３６ｂ、３６ｃの表示色をそれぞれ異ならせるに当っては、色相、明度、彩度のいずれか一つの要素又は複数の要素を異ならせる）。
【００４９】
したがって、２４時間時計表示部３４における現在時刻表示印３５の位置を知ることで、現在時刻が複数の分割時間帯表示部３６ａ、３６ｂ，３６ｃのどこに位置しているかが一目で判るようになっており、また、現在の電力料金の時間帯から電力料金が異なる次の時間帯に変更するまでのあとどのくらいの時間があるかが判るようになっている。
【００５０】
ここで、現在時刻表示印３５がある分割時間帯表示部（例えば３６ａ）で現在時刻を表示している時、次の分割時間帯表示部（例えば３６ｂ）の表示に切り換わるあらかじめ設定した一定時間前（例えば３０分前）になると、現在時刻表示印３５による表示が異なる表示（例えば点滅表示や異なる色表示）となるように制御される。これにより、後、何分又は何時間で電力料金が変わるのかということが強く利用者に印象付けられ、もう少しで電力料金が高くなるというような場合は、消費側のエネルギー機器の使用を済ませてしまう（例えば電気掃除機や洗濯機やエアコン等の使用を早く済ませてしまう）といった行動や、あるいは、もう少しで電力料金が安くなるというような場合は、消費側のエネルギー機器の使用を電力料金が安くなるまで待つ（例えば電気掃除機や洗濯機やエアコン等の使用を少し待つ）といった行動を使用者に取らせるための動機付け（省エネルギーに対する強い動機付け）が与えられることになる。
【００５１】
また、発電・消費画面Ｂ１には、現在時刻表示印３５が一つの分割時間帯表示部（例えば３６ａ）のある位置で現在時刻を表示している時、次の分割時間帯表示部（例えば３６ｂ）の表示に切り換わるあらかじめ設定した一定時間前（例えば３０分前）になると、発電・消費画面Ｂ１に「後３０分で料金が高くなります」、あるいは「後３０分で料金が安くなります」というように、後どれだけの時間が経過すると現在の料金時間帯から異なる料金時間帯に切り替わるのかということを文字・数値で表示する時間帯変更予告表示部３７が設けてある。この場合、あらかじめ決められた時間（例えば３分）が経過する毎に時間帯が切り替わるまでの残りの時間を、「後３０分で料金が高くなります」、「後２７分で料金が高くなります」、「後２４分で料金が高くなります」……というように次々と切り替えて文字・数値で表示する。
【００５２】
この場合も前述と同様、省エネルギーに対する強い動機付けを利用者に与えることができる。
【００５３】
もちろん、上記現在時刻表示印３５の表示の変化と上記時間帯変更予告表示部３７における文字・数字による予告表示との両方で表示することで、より強く省エネルギーに対する強い動機付けを利用者に与えることができる。
【００５４】
図６に示すように、モニターＡの外郭を構成するケース１７の一部に画面となるディスプレーが設けられるが、ケース１７の下部に複数の操作釦が設けてある。操作釦としては基本画面切り替え操作釦５６、ポップアップ操作釦５７、詳細画面切り替え釦５８等が設けてある。基本画面切り替え操作釦５６としては右端に設けた正循環基本画面切り替え操作釦５６ａ、左端に設けた逆循環基本画面切り替え操作釦５６ｂとがある。
【００５５】
発電・消費画面Ｂ１の下端部に設けた下バー状表示部２３には上記基本画面切り替え操作釦５６、ポップアップ操作釦５７、詳細画面切り替え釦５８の真上位置にそれぞれ対応して基本画面切り替え表示部３８、ポップアップ画面切り替え表示部４０、詳細画面切り替え表示部４１が設けてある。
【００５６】
基本画面切り替え表示部３８としては下バー状表示部２３の右端部に表示された正循環基本画面切り替え表示部３８ａと、左端部に表示された逆循環基本画面切り替え表示部３８ｂとがある。
【００５７】
そして、下バー状表示部２３に表示された各切り替え表示部に対応した操作釦を操作することで、目的の画面に切り替え操作することができる。
【００５８】
例えば、基本画面切り替え操作釦５６を操作することで後述のように他の基本画面に切り替え表示ができる。
【００５９】
また、ポップアップ操作釦５７を操作することで、例えば、発電・消費画面Ｂ１における表示の一部を切り替えたり、発電・消費画面Ｂ１を画面上に残したまま、この発電・消費画面Ｂ１の上に重なるようにポップアップ画面を表示することができる。
【００６０】
ポップアップ画面切り替え表示部４０には例えば「金額表示」と表示されており、この「金額表示」と表示されたポップアップ画面切り替え表示部４０に対応したポップアップ操作釦５７を操作すると、図２のように発電・消費画面Ｂ１の総発電量数値表示部２４、総消費量数値表示部２５に相当する箇所にその日における現在までの総発電量、総消費量に対応した電気料金の金額をそれぞれ表示するようになっている。そして、この図２に示す画面においては図１において「金額表示」と表示されたポップアップ画面切り替え表示部４０が「電力量表示」という表示に切り換わるので、図２において「電力量表示」という表示のポップアップ画面切り替え表示部４０に対応したポップアップ操作釦５７を操作すると、発電・消費画面Ｂ１に図１の電力量が表示される。
【００６１】
また、詳細画面切り替え表示部４１を操作することで、例えば、発電・消費画面Ｂ１で表示した内容をより詳細に表示する詳細画面への切り替表示することができる。
【００６２】
次に、図４に示すモニターＡに画面として表示する複数の異なる画面相互の関連につき以下説明する。
【００６３】
モニターＡに示す画面としては既に述べたように、基本画面Ｂと、詳細画面Ｃとに大別される。
【００６４】
モニターＡには基本画面Ｂとして上記した発電及び電力消費状況を表す発電・消費画面Ｂ１、後述の太陽光発電をモニターして表示する太陽光モニター画面Ｂ２を含めて３つ以上の基本画面Ｂ１、Ｂ２、……Ｂｎを切り替えて表示できるようになっている。
【００６５】
ここで、発電・消費画面Ｂ１を基本画面Ｂ１とした場合、基本画面Ｂ２、……Ｂｎにも発電・消費画面Ｂ１と同様に、基本画面切り替え操作釦５６と対応した位置に基本画面切り替え表示部３８（正循環基本画面切り替え表示部３８ａ、逆循環基本画面切り替え表示部３８ｂ）が設けてある。
【００６６】
そして、モニターＡに任意の基本画面Ｂ（例えば基本画面Ｂ１）が表示されているとした場合、基本画面Ｂ１の正循環基本画面切り替え表示部３８ａに対応した正循環基本画面切り替え操作釦５６ａを指先でタッチする等の操作をすると画面が基本画面Ｂ２に切り換わって表示され、更に、基本画面Ｂ２が表示されている状態で正循環基本画面切り替え操作釦５６ａを操作すると画面が基本画面Ｂ３に切り換わって表示され、同様にして正循環基本画面切り替え操作釦５６ａを操作することで、次々とあらかじめ決められて順番で画面表示がなされ、基本画面Ｂｎが表示されている状態で正循環基本画面切り替え操作釦５６ａを操作すると画面が基本画面Ｂ１に切り換わって表示され、……というように正循環基本画面切り替え操作釦５６ａの操作により３つ以上の基本画面Ｂをあらかじめ決められた順番で一方向に循環して表示する（Ｂ１、Ｂ２、……Ｂｎ、Ｂ１……）という規則性の正循環による表示がなされるようになっている。
【００６７】
一方、モニターＡに任意の基本画面Ｂ（例えば基本画面Ｂ１）が表示されているとした場合、基本画面Ｂ１が表示されている状態で逆循環基本画面切り替え操作釦５６ｂを操作すると画面が基本画面Ｂｎに切り換わって表示され、更に、基本画面Ｂｎが表示されている状態で逆循環基本画面切り替え操作釦５６ｂを操作すると画面が基本画面Ｂｎ−１に切り換わって表示され、同様にして逆循環基本画面切り替え操作釦５６ｂを操作することで、次々とあらかじめ決められて逆方向の順番で画面表示がなされ、基本画面Ｂ２が表示されている状態で逆循環基本画面切り替え操作釦５６ｂを操作すると画面が基本画面Ｂ１に切り換わって表示され、……というように逆循環基本画面切り替え操作釦５６ｂの操作により３つ以上の基本画面Ｂをあらかじめ決められた逆方向の順番で逆方向に循環して表示する（Ｂ１、Ｂｎ、Ｂｎ−１……、Ｂ２、Ｂ１……）という規則性の逆循環による表示がなされるようになっている。
【００６８】
また、各基本画面Ｂには基本画面Ｂの一つである発電・消費画面Ｂ１と同様に詳細画面への詳細画面切り替え表示部４１が設けてあり、任意の基本画面Ｂが表示されている状態で、詳細画面切り替え表示部４１に対応した詳細画面切り替え操作釦５８を指先でタッチする等の操作をすることで、該当する基本画面Ｂにおける表示に関連した詳細画面Ｃが表示される。詳細画面Ｃに設けた画面復帰用表示部３９ａに対応した操作釦を操作することで、画面が該当する基本画面Ｂに切り替え表示される。ここで、詳細画面Ｃが複数ある場合、階層的に画面を切り替えて表示できるようにしてもよい。つまり、該当する基本画面Ｂにおける表示に関連した詳細画面Ｃ１に切り替え表示した場合、詳細画面Ｃ１に設けた下層画面表示部３９ｂに対応した操作釦を操作することで、更に下層の詳細画面Ｃ２に画面を切り替え表示するようになっており、下層の詳細画面Ｃ２に設けた画面復帰用表示部３９ａに対応した操作釦を操作することで、上層の詳細画面Ｃ１又は該当する基本画面Ｂに画面を切り替え表示するようになっている。
【００６９】
また、各基本画面Ｂには基本画面Ｂの一つである発電・消費画面Ｂ１と同様に表示を該当する基本画面Ｂの一部の表示を切り替えたり、該当する基本画面Ｂを画面上に残したまま、この発電・消費画面Ｂ１の上に重なるようにポップアップ画面表示への切り替え表示をするためのポップアップ画面切り替え表示部４０を設けてもよく、この場合はポップアップ画面切り替え表示部４０に対応した操作釦を操作することでポップアップ画面に切り替えて表示することができる。
【００７０】
発電・消費画面Ｂ１以外の基本画面Ｂにもそれぞれ前述の発電・消費画面Ｂ１に設けたのと同じ上バー状表示部２２が設けてある。
【００７１】
他の基本画面Ｂの一例として太陽光モニター画面Ｂ２の例を図５に基づいて説明する。
【００７２】
この太陽光モニター画面Ｂ２は、上端部に帯状をした上バー状表示部２２が設けてあり、また、下端部には下バー状表示部２３が設けてある。中央部には棒グラフ表示部５０が設けてある。棒グラフ表示部５０には、横軸として帯状をした時間軸表示部５１を設けてあり、縦軸としてｋＷｈ表示部６０が設けてある。そして、この棒グラフ表示部５０には、太陽光発電の当日の２４時間時計表示部３４における始端時刻から終端時刻までの２４時間の一定時間毎の発電量を棒グラフで表示するようになっている。また、この棒グラフ表示部５０には、太陽光発電の当日の上記２４時間時計表示部３４における始端時刻から終端時刻までの２４時間の一定時間毎の発電量を棒グラフで表示すると共に、同じ２４時間の一定時間毎の消費電力量を棒グラフで表示するようになっている。
【００７３】
帯状をした時間軸表示部５１は、上記２４時間時計表示部３４における表示と同様に長手方向の一端部が２４時間時計表示部３４における始端時刻表示３４ａで表示される時刻と同じ始端時刻を表示する始端表示部５１ａとなり且つ他端が２４時間時計表示部３４における終端時刻表示３４ｂで表示される時刻と同じ終端表示部５１ｂとなっている。
【００７４】
また、帯状の時間軸表示部５１の始端表示部５１ａと終端表示部５１ｂとの間が２４時間時計表示部３４と同様にあらかじめ設定されたエネルギー料金が異なる複数の時間帯に分割して複数のグラフ用分割時間帯表示部５２（５２ａ、５２ｂ、５２ｃ）に区分けしてあり、この複数のグラフ用分割時間帯表示部５２ａ、５２ｂ、５２ｃの表示色をそれぞれ異ならせてあり、区分けした各複数のグラフ用分割時間帯表示部５２ａ、５２ｂ、５２ｃの表示色はそれぞれ２４時間時計表示部３４におけるそれぞれ対応する分割時間帯表示部３６ａ、３６ｂ、３６ｃの表示色と同じ色としてある。
【００７５】
モニターＡに表示する基本画面Ｂとして太陽光モニター画面Ｂ２を表示するように切り替えると、図５のように棒グラフ表示部５０に太陽光発電の当日の始端時刻から現在時刻までの一定時間毎の発電量及び消費電力量が棒グラフで表示するようになっている。
【００７６】
このように太陽光モニター画面Ｂ２の棒グラフ表示部５０に表示された棒グラフを見ることで、太陽光発電の当日の上記２４時間時計表示部３４における始端時刻から現在時刻までの一定時間毎の発電量及び消費電力量を知ることができるのは勿論のこと、上記２４時間時計表示部３４におけるエネルギー料金が異なる複数の時間帯のうちどの料金の時間帯でどれだけの発電及び電力消費が行われたかということが一目で理解でき、例えば売電料金が高い時間帯に予想した程の発電量となっていない場合や、売電料金が高い時間帯に予想以上に電力消費を行っている場合は、省エネルギーに対する強い動機付けを利用者に与えることができる。
【００７７】
しかも、時間軸表示部５１を区分けした複数のグラフ用分割時間帯表示部５２が、２４時間時計表示部３４に表示されたエネルギー料金が異なる複数の時間帯の色分け表示と同じ表示で時間軸表示部５１と対応した区分け、対応した色分けをしてあるので、エネルギー料金の異なる時間帯との関係で、現時点の時刻がどの時間帯に属しているが、当日の現時点までの一定時間毎の発電量及び消費電力量の表示がそれぞれどの時間帯に属しているかといったことが一目で確認でき、より強い省エネルギーのための動機付けを利用者に与えることができる。
【００７８】
上記実施形態においては、モニターＡのケース１７に基本画面切り替え操作釦５６、ポップアップ操作釦５７、詳細画面切り替え釦５８等の操作釦を設けて、前述のような画面切り替えを行えるようにした例を示したが、各画面に設けた基本画面切り替え表示部３８（正循環基本画面切り替え表示部３８ａ、逆循環基本画面切り替え表示部３８ｂ）、ポップアップ画面切り替え表示部４０、詳細画面切り替え表示部４１をタッチパネル式のスイッチ部として、ディスプレーに表示された各画面に設けた基本画面切り替え表示部３８（正循環基本画面切り替え表示部３８ａ、逆循環基本画面切り替え表示部３８ｂ）、ポップアップ画面切り替え表示部４０、詳細画面切り替え表示部４１を指先で触れることで、上記基本画面切り替え操作釦５６、ポップアップ操作釦５７、詳細画面切り替え釦５８等の操作釦を操作するのと同じような画面切り替えを行うようにしてもよい。
【図面の簡単な説明】
【００７９】
【図１】本発明のモニターの画面として表示される発電・消費画面である。
【図２】同上の金額表示に切り替えた状態の発電・消費画面である。
【図３】同上のモニターが用いられる太陽光発電システムの概略構成図である。
【図４】同上のモニターに画面として表示する複数の異なる画面相互の関連を示す構成図である。
【図５】同上のモニターに画面として表示する太陽光モニター画面である。
【図６】同上のモニターの概略斜視図である。
【符号の説明】
【００８０】
Ａ  モニター
３４  ２４時間時計表示部
３４ａ  始端時刻表示部
３４ｂ  終端時刻表示部
３５  現在時刻表示印
３６  分割時間帯表示部
３６ａ  分割時間帯表示部
３６ｂ  分割時間帯表示部
３６ｃ  分割時間帯表示部
５０  棒グラフ表示部
５１  時間軸表示部
５１ａ  始端表示部
５１ｂ  終端表示部
５２  グラフ用分割時間帯表示部
【図１】
2008158557.tif 000003
【図２】
2008158557.tif 000004
【図３】
2008158557.tif 000005
【図４】
2008158557.tif 000006
【図５】
2008158557.tif 000007
【図６】
2008158557.tif 000008